(57)【要約】【課題】橙などの立体的な飾り物を確実に保持し、かつ、飾り物の取り付け作業を効率的に行って生産性の向上を図るとともに、縁起用・祭事用としてのイメージを十分に伝える。【解決手段】台紙１２に水引３４，紅白御幣３６，垂れ帯３８，福袋４０，祈願札４２，小判４４，簪５２，松竹梅５４，扇５６Ａ〜５６Ｃなどを順に飾り付ける。中央の扇５６Ｂには、厚紙５８などによる裏打ちが設けられており、支え６０によって台紙１２から浮き上がるように、他の扇５６Ａ，５６Ｃの間に取り付けられる。次に、台紙１２の両縁部１４Ａ，１４Ｂに、取付具２４Ａ，２４Ｂを取り付けて橙５０を両側から挟み、その間に輪ゴム３２を掛けて橙５０を固定する。最後に、延長部１６を、台紙１２の曲部１５へ向けて折り曲げて、伊勢海老４６の裏面を橙５０に接着して固定し、前記水引３４で、伊勢海老４６の正面を締結する。【選択図】図１
0003122887.tif 000002
【実用新案登録請求の範囲】
【請求項１】
台紙に多数の飾り物を直接又は間接的に飾り付けた装飾品であって、前記飾り物のうち、立体的な飾り物を取り付けるための取付具を備えるとともに、
該取付具が、
前記台紙の対向する縁部に一対ずつ形成されており、前記縁部から中心側へ向けて所定の間隔をおいて形成された切れ込み，
折り曲げ可能な両腕を有する略コ字状ないし略Ｕ字状であって、前記両腕が、前記切れ込みにおいて前記台紙の一方の主面側から他方の主面側へ向けて引き出し可能であるとともに、該引き出し側で両腕の先端の連結が可能な針金，
前記対向する縁部にそれぞれ設けられた針金の連結部間に掛けられる伸縮自在なゴム材，
を含むことを特徴とする装飾品。
【請求項２】
前記立体的な飾り物が、橙であることを特徴とする請求項１記載の装飾品。
【請求項３】
請求項１記載の装飾品を利用したしめ飾りであって、
前記取付具によって前記台紙に固定された橙，
該橙の上方に、前記台紙の縁部に沿って配置された３つの扇の飾り物，
を含むことを特徴とするしめ飾り。
【請求項４】
飾り物として、少なくとも、水引，紅白御幣，垂れ帯，福袋，祈願札，小判，伊勢海老，簪，松竹梅，わら束を飾り付けたことを特徴とする請求項３記載のしめ飾り。
【請求項５】
台紙に多数の飾り物を直接又は間接的に飾り付けた装飾品であって、前記飾り物として、３つの扇を含むことを特徴とする装飾品。
【請求項６】
前記３つの扇のうちの少なくとも一つが、裏打ちされていることを特徴とする請求項５記載の装飾品。
【請求項７】
所定の間隔をおいて配置された２つの扇の間に、該２つの扇の一部と重なるように残りの１つの扇を配置したことを特徴とする請求項５又は６記載の装飾品。
【請求項８】
請求項５〜７のいずれかに記載の装飾品を備えたことを特徴とする鏡餅。
【考案の詳細な説明】
【技術分野】
【０００１】
本考案は、例えば、正月用のしめ飾りや鏡餅に代表される祭事用・縁起用の装飾品の改良に関するものである。
【背景技術】
【０００２】
正月を迎えるにあたって玄関などに飾られるしめ飾りは、よく知られているように、一年の健康と家運隆盛などを願うための、昔から伝わる縁起物である。これは、新しい稲のわらを使ったしめ縄に、各地の風習に従って、不浄を清めるための松や橙，裏白，伊勢海老，昆布などのほか、各種縁起物を飾ったものである。これらの飾りものは、例えば、接着剤や粘着テープなどによって台紙などに貼り付けられるが、飾り物が大きい場合や、橙のように比較的重い場合など、わずかな力を加えただけでしめ飾りから外れてしまうおそれがある。
【０００３】
従来は、前記橙を取り付ける場合は、上述した接着方法のほか、釘を刺して支えることがある。また、以下の特許文献１には、二股に形成した細長板状の支持部材によって柑橘類の前後を下方から挟着して支承し、前記支持部材の前側に取り付けた海老の模造品の足状の複数の支承脚で柑橘類の前側上部と左右両側とを抱持する正月飾り用柑橘類の取付け具が開示されている。
【特許文献１】特開２００２−１２５８４４公報
【考案の開示】
【考案が解決しようとする課題】
【０００４】
しかしながら、以上のような背景技術には次のような不都合がある。まず、釘で支える方法の場合、釘を刺した部分から果汁が出たり腐り出したりするという不都合がある。従来は、しめ飾りは外で売られているのが一般的であったが、近年ではスーパーなどの暖かい場所で売られることも多いため、上述した問題に対する対策が必要である。また、前記特許文献１の取付け具を用いる方法では、橙を確実に保持するためには、二股の支持部材がある程度の幅を有し、かつ、前側の支持部材が橙の半分程度を覆うようにする必要があると考えられるため、橙の見える範囲が狭くなって、全体の見栄えが低下する恐れがある。更に、前記しめ飾りには、橙の上方に扇（末広）を飾り付けるが、前記特許文献１に示すように、通常は扇を一つ設けただけであり、扇のもつ末広がりのイメージやきらびやかさを強力にアピールしているとは言い難い場合もある。
【０００５】
本考案は、以上の点に着目したもので、その目的は、橙などの立体的な飾り物を確実に保持し、かつ、飾り物の取り付け作業を効率的に行って生産性の向上を図るとともに、扇のもつイメージを十分に伝えることができる装飾品，それを利用したしめ飾り及び鏡餅を提供することである。
【課題を解決するための手段】
【０００６】
前記目的を達成するため、本考案の装飾品は、台紙に多数の飾り物を直接又は間接的に飾り付けた装飾品であって、前記飾り物のうち、立体的な飾り物を取り付けるための取付具を備えるとともに、該取付具が、前記台紙の対向する縁部に一対ずつ形成されており、前記縁部から中心側へ向けて所定の間隔をおいて形成された切れ込み，折り曲げ可能な両腕を有する略コ字状ないし略Ｕ字状であって、前記両腕が、前記切れ込みにおいて前記台紙の一方の主面側から他方の主面側へ向けて引き出し可能であるとともに、該引き出し側で両腕の先端の連結が可能な針金，前記対向する縁部にそれぞれ設けられた針金の連結部間に掛けられる伸縮自在なゴム材，を含むことを特徴とする。主要な形態の一つは、前記立体的な飾り物が、橙であることを特徴とする。
【０００７】
本考案のしめ飾りは、請求項１記載の装飾品を利用したしめ飾りであって、前記取付具によって前記台紙に固定された橙，該橙の上方に、前記台紙の縁部に沿って配置された３つの扇の飾り物，を含むことを特徴とする。主要な形態の一つは、飾り物として、少なくとも、水引，紅白御幣，垂れ帯，福袋，祈願札，小判，伊勢海老，簪，松竹梅，わら束を飾り付けたことを特徴とする。
【０００８】
他の考案の装飾品は、台紙に多数の飾り物を直接又は間接的に飾り付けた装飾品であって、前記飾り物として、３つの扇を含むことを特徴とする。主要な形態の一つは、前記３つの扇のうちの少なくとも一つが、裏打ちされていることを特徴とする。他の形態は、所定の間隔をおいて配置された２つの扇の間に、該２つの扇の一部と重なるように残りの１つの扇を配置したことを特徴とする。
【０００９】
本考案の鏡餅は、請求項５〜７のいずれかに記載の装飾品を備えたことを特徴とする。本考案の前記及び他の目的，特徴，利点は、以下の詳細な説明及び添付図面から明瞭になろう。
【考案の効果】
【００１０】
本考案は、台紙の対向する縁部に、中心に向けて所定の間隔をおいて一対ずつ形成された切れ込みと、折り曲げ可能な両腕が前記切れ込みによって台紙の一方の主面から他方の主面へ向けて引き出し可能な略コ字状ないし略Ｕ字状の針金と、該針金の両腕の連結部分間に掛けられる伸縮自在なゴム材，を含む取付具を設けることとした。このため、橙などの立体的な飾り物を確実に保持することができ、かつ、飾り物の取り付け作業を効率的に行って生産性の向上を図ることができる。また、前記台紙に３つの扇の飾り物を配置することとしたので、扇のもつイメージを十分に伝えることができるという効果が得られる。
【考案を実施するための最良の形態】
【００１１】
以下、本考案を実施するための最良の形態を、実施例に基づいて詳細に説明する。
【実施例１】
【００１２】
最初に、図１及び図２を参照しながら本考案の実施例１を説明する。本実施例は、本考案を正月用のしめ飾りに適用し、台紙に各種飾り物を取り付けたものである。図１は、本実施例のしめ飾りの外観斜視図であり、図２は、本実施例の台紙に飾り物を取り付ける様子を示し、(A)〜(C)は平面図，(D)は前記図１を矢印Ｆ１方向から見た側面図である。台紙１２は、曲部１５を有する本体１３と、前記曲部１５の反対側に前記本体１３に連続して設けられた延長部１６により構成されており、厚紙やダンボールなどによって形成され、その表面は所望の色に塗装が施されている。該台紙１２の対向する縁部１４Ａ，１４Ｂには、それぞれ一対の切れ込み１８Ａ及び１８Ｂと、２０Ａ及び２０Ｂが形成されている。また、前記切れ込み１８Ａ及び１８Ｂの下方には、切れ込み２２Ａが形成され、他方の切れ込み２０Ａ及び２０Ｂの下方には、切れ込み２２Ｂが形成されている。前記切れ込み１８Ａ，１８Ｂ，２０Ａ，２０Ｂは、後述する取付具２４Ａ及び２４Ｂを取り付けるためのものであり、切れ込み２２Ａ及び２２Ｂは、後述する水引３４を掛けるためのものである。
【００１３】
次に、前記切れ込み１８Ａ，１８Ｂ，２０Ａ，２０Ｂに取り付ける取付具２４Ａ及び２４Ｂについて説明する。取付具２４Ａは、針金２６と輪ゴム３２によって構成されている。前記針金２６は、図２(A)に示すように、台紙１２の裏面１２Ｂに接触する平坦部２６Ａと、前記切れ込み１８Ａ，１８Ｂから台紙１２の表面１２Ａへ向けて引き出される腕２８Ａ，２８Ｂが形成された略コ字（ないし略Ｕ字）状となっており、該腕２８Ａ，２８Ｂの先端には、前記輪ゴム３２を掛けるとともに、前記腕２８Ａ，２８Ｂの先端同士を連結するための折り曲げ部３０Ａ及び３０Ｂが形成されている。なお、前記腕２８Ａ及び２８Ｂは、平坦部２６Ａに対して折り曲げ可能となっており、図２(B)に示すように、前記折り曲げ部３０Ａ及び３０Ｂ同士を掛けて連結することが可能となっている。他方の取付具２４Ｂについても同様の構成となっており、これら取付具２４Ａ２４Ｂの間に、橙５０を挟むように乗せた状態で、前記連結部間に輪ゴム３２を掛け渡すことにより、橙５０を台紙１２に対して安定して固定することが可能となっている。
【００１４】
前記橙５０の上方に配置される扇５６Ａ〜５６Ｃは、台紙１２の曲部１５に沿って配置されている。具体的には、扇５６Ａ及び５６Ｃが所定の間隔をおいて並べられ、その隙間部分に扇５６Ｂを配置して、該扇５６Ｂの一部が他の扇５６Ａ及び５６Ｃに重なるように取り付けられる。なお、本実施例では、図２(D)に示すように、中央の扇５６Ｂは、支え６０により台紙１２に対して傾くように支持されており、その裏面には裏打ち用の厚紙５８が設けられている。これにより、前記扇５６Ｂが台紙表面１２Ａから浮き上がるように取り付けられた場合であっても、厚紙５８による補強効果により、変形などを防止することが可能となる。
【００１５】
次に、本考案のしめ飾り１０の組み立て手順を説明する。まず、紅白御幣３６及び垂れ帯３８が台紙１２に取り付けられ、次いで、扇５６Ａ〜５６Ｃが、上述したように台紙１２の曲部１５に沿って配置され、接着剤などで取り付けられる。具体的には、扇５６Ａ及び５６Ｃを、台紙１２の対向する縁部１４Ａ及び１４Ｂから若干はみ出すように、曲部１５の両側に配置し、これらの隙間に発泡スチロールなどで形成した支え６０を取り付ける。そして、該支え６０の上に扇５６Ｂを乗せて固定する。このように配置すると、３つの扇５６Ａ〜５６Ｃにより、広がりと厚みが形成され、扇５６Ａ〜５６Ｃの存在感が増し、扇がもつイメージや新年らしさを強調することができる。
【００１６】
次に、福袋４０を、前記扇５６Ｂと重なるように台紙表面１２Ａに接着剤で取り付ける。そして、前記扇５６Ａ〜５６Ｃのいずれかに重なるように、「商売繁盛」及び「家内安全」の祈願札４２，小判４４，松竹梅５４の飾り物が取り付けられる。以上の紅白御幣３６，垂れ帯３８，扇５６Ａ〜５６Ｃ，福袋４０，祈願札４２，小判４４，松竹梅５４は、所望の色の紙片や印刷された紙片を切り抜く，あるいは折り返すなどして所望の形状にしたものであり、接着剤などによって所定の位置に取り付けられる。
【００１７】
更に、延長部１６の裏面１６Ｂに、例えば、発泡スチロールなどの合成樹脂によって軽量に形成された模造の伊勢海老４６の裏面が接着剤で取り付けられる。また、前記延長部１６の根元近傍には、根松や藪柑子の模造品を和紙でまとめた簪５２の飾り物が、針金などによって台紙１２に留めつけられる。
【００１８】
上述した台紙１２に、紅白御幣３６，扇５６Ａ〜５６Ｃ，福袋４０，祈願札４２，小判４４，伊勢海老４６，簪５２を飾り付けた状態までは、これら各部が、全て紙や合成樹脂などの長期保存が可能な材料でできているため、季節を問わず生産し、年末まで保管しておくことが可能である。また、保管する際も、比較的平面的な飾り物のみを取り付けているため、全体がかさばることなく少ないスペースで保管することができる。
【００１９】
このような台紙１２に、最も立体的な飾り物である橙５０を取り付けるときには、図２(A)及び(B)に示すように、前記台紙１２の切れ込み１８Ａ，１８Ｂに、取付具２４Ａの針金２６をセットし、その両腕２８Ａ，２８Ｂを表面１２Ａ側へ引き出して、折り曲げ部３０Ａ，３０Ｂ同士を掛けて腕２８Ａと２８Ｂで環をつくる。次に、他の切れ込み２０Ａ，２０Ｂに、取付具２４Ｂの針金をセットし、その両腕２８Ａ，２８Ｂを表面１２Ａ側へ引き出して、折り曲げ部３０Ａ，３０Ｂ同士を掛けて腕２８Ａと２８Ｂで環をつくる。そして、取付具２４Ａと２４Ｂの間に橙５０を挟むようにして乗せたのちに、これら取付具２４Ａ及び２４Ｂ間に輪ゴム３２を掛け渡して橙５０を固定する。なお、ここで使用する橙５０は、本物であってもよいし、模造品であってもよい。
【００２０】
次いで、図２(D)に示すように、延長部１６を、台紙１２の曲部１５側へ向けて折り曲げて、伊勢海老４６の裏面の頭部にあたる部分を、橙５０に接着して固定する。このときの接着は、例えば、予め伊勢海老４６の裏面に設けられた両面テープ（図示せず）を利用する。伊勢海老４６を固定したら、台紙１２の切れ込み２２Ａ及び２２Ｂに引っ掛けた水引３４（図２(C)参照）を、伊勢海老４６の正面で締結し、台紙１２への飾り物の取り付けが完了する。最後に、以上のように飾り物を取り付けた台紙１２を、裏白（図示せず）を設けたわら束６２に、針金などで取り付けることによって、しめ飾り１０が完成する。
【００２１】
このように、実施例１によれば、次のような効果がある。
(1)橙５０の両側を、取付具２４Ａ，２４Ｂのそれぞれの腕２８Ａ，２８Ｂで形成した環状部分により挟み込み、それらの間に輪ゴム３２を掛け渡すこととしたので、橙５０を確実に保持することができるとともに、取り付け作業を効率的に行って生産性の向上を図ることができる。
(2)３つの扇５６Ａ〜５６Ｃを取り付けることとしたので、扇が有する新年らしいイメージを十分に伝えることができる。
(3)橙５０やわら束６２を取り付ける前の段階までの半製品を、季節を問わずに作りためることができるため、年末時におけるしめ飾りの大量生産が可能となる。特に、本物の橙５０を使用する場合に好適である。
【実施例２】
【００２２】
次に、図３を参照しながら、本考案の実施例２を説明する。本実施例は、本考案の飾り物を、正月用の鏡餅に適用した例である。図３(A)は、本実施例の鏡餅の正面図，図３(B)は前記(A)を矢印Ｆ３方向から見た側面図，図３(C)及び(D)は、本実施例の変形例を示す正面図及び側面図である。本実施例の鏡餅１００の背面側には、装飾品１０２が設けられている。該装飾品１０２は、台紙１０４に３つの扇１０６Ａ〜１０６Ｃを接着剤などにより取り付けたものであり、台紙１０４の縁部１０４Ａに沿って配置されている。３つの扇のうち、扇１０６Ａ及び１０６Ｃは、所定の間隔をおいて並べられ、残りの扇１０６Ｂが、両側の扇１０６Ａ及び１０６Ｃの端と一部が重なるように配置される。なお、中央の扇１０６Ｂには、前記実施例１と同様に、厚紙１０８などによる裏打ちが設けられるとともに、支え１１０により支持されており、立体感を出すようになっている。
【００２３】
以上のような装飾品１０２は、台紙１０４を鏡餅１００の背面側に貼り付けるなどの適宜手法によって、鏡餅１００に取り付けられる。本実施例のように、３つの扇１０６Ａ〜１０６Ｃを設けた装飾品１０２を鏡餅１００に取り付けるようにしても、扇の持つイメージを十分に伝えて新年らしさをアピールすることができる。また、図３(C)及び(D)に示すように、鏡餅１００に、前記実施例１の台紙１２に橙５０及び扇５６Ａ〜５６Ｃを取り付けたものを飾り付けるようにしてもよい。
【００２４】
なお、本考案は、上述した実施例に限定されるものではなく、本考案の要旨を逸脱しない範囲内において種々変更を加え得ることができる。例えば、以下のものも含まれる。
(1)模造の飾り物を形成する材料としては各種のものが知られており、それら公知のものを使用してよい。また、各部の大きさ，形状，色彩，模様，文字なども必要に応じて適宜変更してよい。台紙１２についても同様である。
【００２５】
(2)前記実施例１では、しめ飾り１０の飾り物として、水引３４，紅白御幣３６，垂れ帯３８，福袋４０，祈願札４２，小判４４，伊勢海老４６，橙５０，簪５２，松竹梅５４，扇５６Ａ〜５６Ｃ，わら束６２などの例を示したが、その他の各種の飾り物を取り付けるようにしてもよいし、一部を省略するようにしてもよい。また、取付具２４Ａ及び２４Ｂで取り付ける立体物も、橙５０に限らず、他の公知の各種の立体的な飾り物を取り付けるようにしてもよい。
【００２６】
(3)前記実施例１では、一対の取付具２４Ａ及び２４Ｂを設けることとしたが、橙５０以外の立体的な飾り物を取り付けるために、更に他の取付具を設けるようにしてもよい。
(4)前記実施例１では、取付具２４Ａ及び２４Ｂ間に輪ゴム３２を掛けることとしたが、輪ゴム３２に限らず、必要に応じて同様の効果を奏するゴム材を用いるようにしてもよい。
【００２７】
(5)前記実施例２では、鏡餅１００に装飾品１０２のみを設けることとしたが、他の公知の各種の飾り物を設けることを妨げるものではない。
(6)前記実施例の飾り物の取り付け順序も一例であり、何ら上記実施例に限定されるものではない。
(7)前記実施例は、正月用のしめ飾り及び鏡餅に本考案を適用したものであるが、その他の公知の各種の祭事用・縁起用の装飾品に本考案は適用可能である。
【産業上の利用可能性】
【００２８】
本考案によれば、台紙の対向する縁部に、中心に向けて所定の間隔をおいて一対ずつ形成された切れ込みと、折り曲げ可能な両腕が前記切れ込みによって台紙の一方の主面から他方の主面へ向けて引き出し可能な略コ字状ないし略Ｕ字状の針金と、該針金の両腕の連結部分間に掛けられる伸縮自在なゴム材，を含む取付具を設けることとした。このため、橙などの立体的な飾り物を取り付ける装飾品の用途に適用できる。また、前記台紙に３つの扇の飾り物を配置して扇の印象を強めることとしたので、祭事用・縁起用の装飾品の用途に好適である。
【図面の簡単な説明】
【００２９】
【図１】本考案の実施例１を示す外観斜視図である。
【図２】前記実施例１の台紙に飾り物を取り付ける様子を示す平面図及び側面図である。
【図３】本考案の実施例２を示す図であり、(A)は正面図，(B)は側面図，(C)及び(D)は変形例を示す図である。
【符号の説明】
【００３０】
１０：しめ飾り
１２：台紙
１２Ａ：表面
１２Ｂ：裏面
１３：本体
１４Ａ，１４Ｂ：縁部
１５：曲部
１６：延長部
１６Ａ：表面
１６Ｂ：裏面
１８Ａ，１８Ｂ，２０Ａ，２０Ｂ，２２Ａ，２２Ｂ：切れ込み
２４Ａ，２４Ｂ：取付具
２６：針金
２６Ａ：平坦部
２８Ａ，２８Ｂ：腕
３０Ａ，３０Ｂ：折り曲げ部
３２：輪ゴム
３４：水引
３６：紅白御幣
３８：垂れ帯
４０：福袋
４２：祈願札
４４：小判
４６：伊勢海老
５０：橙
５２：簪
５４：松竹梅
５６Ａ〜５６Ｃ：扇
５８：厚紙
６０：支え
６２：わら束
１００：鏡餅
１０２：装飾品
１０４：台紙
１０４Ａ：縁部
１０６Ａ〜１０６Ｃ：扇
１０８：厚紙
１１０：支え
【図１】
0003122887.tif 000003
【図２】
0003122887.tif 000004
【図３】
0003122887.tif 000005
【手続補正書】
【提出日】平成18年4月24日(2006.4.24)
【手続補正１】
【補正対象書類名】実用新案登録請求の範囲
【補正対象項目名】請求項５
【補正方法】変更
【補正の内容】
【請求項５】
請求項１記載の装飾品であって、前記飾り物として、３つの扇を含むことを特徴とする装飾品。